(57)【要約】【課題】多くの包装袋入り小物商品を効率よく吊下げて陳列することができると共に、その背後に位置する商品陳列棚の商品の陳列効果を阻害することが少ない商品吊下げ具を提供する。【解決手段】表示兼取付部１の下部に長尺の帯状吊下げ部２，２が垂下されて取付けられ、帯状吊下げ部２，２の正面に商品を吊下げるための複数のクリップ部２３が適当な間隔をおいて縦に配置される。表示兼取付部１の背面の掛止片１４を被掛止部に掛止して装着され、クリップ部２３に商品を吊下げて陳列する。表示兼取付部１の下部に突出し連結部３が前方に突出すように取り付けられ、突出し連結部３の先端部に２本の帯状吊下げ部２、２がその前面を表示兼取付部１の両側側面に向けて連結される。【選択図】図１
2005177159.tif 000002
【特許請求の範囲】
【請求項１】
表示兼取付部の下部に長尺の帯状吊下げ部が垂下されて取付けられ、該帯状吊下げ部の正面に商品を吊下げるための複数のクリップ部が適当な間隔をおいて縦に配置され、該表示兼取付部の背面の掛止片を被掛止部に掛止して装着され、該クリップ部に商品を吊下げて陳列する商品吊下げ具において、
該表示兼取付部の下部に突出し連結部が前方に突出すように取り付けられ、該突出し連結部の先端部に帯状吊下げ部がその前面を表示兼取付部の側面に向けて連結されたことを特徴とする商品吊下げ具。
【請求項２】
２本の前記帯状吊下げ部が、前記突出し連結部の両側に、相互に背面を合わせその前面を左右両側に向けて装着されたことを特徴とする請求項１記載の商品吊下げ具。                                                                       
【発明の詳細な説明】
【技術分野】
【０００１】
本発明は、スーパーマーケット、コンビニエンスストアなどの商品陳列棚などにおいて、関連する商品をその商品陳列棚の前部などに吊下げて陳列する際に使用する商品吊下げ具に関する。
【背景技術】
【０００２】
従来、スーパーマーケットなどにおいて、商品陳列棚の陳列商品に関連した包装袋入りの小物商品を、スポット的に販売するために、商品陳列棚の前部や金属網などに装着する商品吊下げ具が使用されている。この種の商品吊下げ具として、表示兼取付部の下部に長尺の帯状吊下げ部を正面を向けて垂下させるように取付け、その帯状吊下げ部に縦方向に配設された複数のクリップ部に、包装袋入りの小物商品を挟持させまたは引っ掛けて商品を陳列する構造の商品吊下げ具が、下記特許文献１などで提案されている。
【特許文献１】実用新案登録第３０７４６６８号公報
【発明の開示】
【発明が解決しようとする課題】
【０００３】
しかし、従来のこの種の商品吊下げ具は、表示兼取付部の下部に長尺の帯状吊下げ部を、正面を向けて垂下させるように取付け、帯状吊下げ部の正面側には、小物商品を吊下げるための複数のクリップ部が適当な間隔をおいて縦に配置される構造であり、商品吊下げ具を使用する場合、商品陳列棚の棚レールの前部或いは陳列棚の側面などに取り付けられた金属網部に、その帯状吊下げ部を正面に向けて表示兼取付部を掛止して使用されていた。
【０００４】
このために、多くの商品を吊下げて陳列するために、複数の商品吊下げ具を商品陳列棚の棚レールの前部に掛止し、そこに多くの包装袋入り小物商品を吊下げて陳列した場合、販売の主体となる商品陳列棚の正面が、それらの吊下げ商品によって覆われてしまい、商品陳列棚の陳列効果が阻害される問題があった。
【０００５】
本発明は、上述の課題を解決するものであり、多くの包装袋入り小物商品を効率よく吊下げて陳列することができると共に、その背後に位置する商品陳列棚の商品の陳列効果を阻害することが少ない商品吊下げ具を提供することを目的とする。
【課題を解決するための手段】
【０００６】
このために、本発明の商品吊下げ具は、表示兼取付部の下部に長尺の帯状吊下げ部が垂下されて取付けられ、帯状吊下げ部の正面に商品を吊下げるための複数のクリップ部が適当な間隔をおいて縦に配置され、表示兼取付部の背面の掛止片を被掛止部に掛止して装着され、クリップ部に商品を吊下げて陳列する商品吊下げ具において、表示兼取付部の下部に突出し連結部が前方に突出すように取り付けられ、突出し連結部の先端部に帯状吊下げ部がその正面を表示兼取付部の側面に向けて連結されたことを特徴とする。
【０００７】
ここで、請求項２のように、上記帯状吊下げ部は、突出し連結部の先端部の両側に、相互に背面を合わせ前面を両側に向けて装着することができる。
【発明の効果】
【０００８】
このような商品吊下げ具は、商品陳列棚の棚レールの前部或いは陳列棚の側面などに取り付けられた金属網に、その陳列棚の商品に関連した包装袋入りの小物商品を陳列するために、その上部の表示兼取付部を掛止して使用される。そして、多数の商品（例えば包装袋入り小物商品）が、表示兼取付部の左右側面つまり商品陳列棚の左右側面を向き、且つ前方に突出した帯状吊下げ部のクリップ部に吊下げられて陳列される。
【０００９】
したがって、多くの包装袋入り小物商品を吊下げ陳列するために、商品陳列棚の前面に複数の商品吊下げ具を配置した場合でも、包装袋入り小物商品が正面ではなく側面を向いて配置されるから、背後の商品陳列棚にある商品を隠す割合が減少し、背後に位置する商品陳列棚の商品の陳列効果を阻害することが少なく、商品の販売を促進させることができる。
【００１０】
さらに、請求項２のように、帯状吊下げ部を、突出し連結部の先端部の両側に、相互に背面を合わせその前面を両側に向けて装着する構造とすれば、２列の帯状吊下げ部の両側に多くの包装袋入り小物商品を効率よく吊下げることができる。また、この際両側に使用する帯状吊下げ部を共通して使用することができるため、製造コストを抑制しながら多くの小物商品を吊下げる商品吊下げ具を実現することができる。
【発明を実施するための最良の形態】
【００１１】
以下、本発明の一実施形態を図面に基づいて説明する。図１は商品吊下げ具の斜視図を示し、図２はその正面図を、図３はその分解正面図を示している。本商品吊下げ具は、概略的には、表示兼取付部１の下部に、突出し連結部３を介して、２本の長尺の帯状吊下げ部２，２が、各々の背面を合わせた状態で、各々の前面が取付部１の両側側面を向くように、垂下されて取付けられて構成される。
【００１２】
上部に位置する表示兼取付部１は、箱型に形成された取付部１３の前面に、カードホルダー１１が取り付けられて、形成されている。さらに、表示兼取付部１の取付部１３には、図４に示すように、その背面に、被掛止部に掛止するための掛止片１４が突設され、その下側に突出し連結部３を連結するための連結凸部１８が突設され、その下方に下掛止片１７が突設されている。下掛止片１７は、表示兼取付部１が陳列棚の棚レール或いは金属網に掛止される際に使用される。
【００１３】
図５に示すように、取付部１３の前面に組み付けられるカードホルダー１１は、前面に透明カバー１１ａを嵌着して構成され、透明カバー１１ａの内側にプライスカードや商品名プレートなどを挿入して表示するように形成される。カードホルダー１１の上部には、嵌着孔を有した嵌着部１１ｂが背面側に向けて突設され、カードホルダー１１は、その嵌着部１１ｂを取付部１３の内側に挿入し、取付部１３内の嵌着ピン１２に嵌着部１１ｂを嵌着して取り付けられる。
【００１４】
図４に示すように、表示兼取付部１の下部には、突出し連結部３が、その上部の連結孔３１を、取付部１３の背面の連結凸部１８に嵌合して嵌着される。突出し連結部３は、側面視で略直角三角形状につまりその下部を前方に突出す形状に形成され、その下部の両側に連結凸部３２，３２が両側に向けて突設されている。また、突出し連結部３の上部中央には、取付部１３の背面の連結凸部１８に嵌合可能な連結孔３１が穿設されている（図４ｂ）。突出し連結部３の連結凸部３２，３２には、後述の帯状吊下げ部２，２が垂下して連結される。
【００１５】
帯状吊下げ部２は、長尺の帯状に形成された帯状本体２１の前面に、複数のクリップ部２３を、所定の間隔をおいて縦に並設して形成される。帯状本体２１の上部には、上記突出し連結部３の連結凸部３２に嵌着可能な上連結孔２７が穿設されている。また、帯状本体２１には、長孔状の開口部２２が所定の間隔をおいて縦に複数個並設され、それらの開口部２２の前面側に、複数のクリップ部２３が脚部２６を介して一体的に形成されている。
【００１６】
各クリップ部２３は、帯状本体２１上に間隔をおいて開口された開口部２２の位置に形成され、脚部２６を介して形成されている。また、クリップ部２３の脚部２６の下側に挟持片２４が形成され、脚部２６の上側に掛止片２５が形成されている。このようなクリップ部２３は、挟持片２４と掛止片２５を有して帯状本体２１と共に一体成形され、包装袋に設けた孔をその掛止片２５に挿入して商品を吊下げ、或いは、包装袋の上端を挟持片２４に挟持させて商品を吊下げることができる。
【００１７】
さらに、帯状吊下げ部２の帯状本体２１の下端部には、図３に示すように、下連結凸部２８が設けられ、背面側を相互に合わせた状態の２枚の帯状吊下げ部２，２の下部を、コ字状の下連結部４の連結孔４１に嵌着して、固定できるようにしている。
【００１８】
上記構成の表示兼取付部１、帯状吊下げ部２、突出し連結部３、及び下連結部４は、全てプラスチックにより成形され、成形された各部品は、上述のように、連結凸部１８と連結孔３１の嵌合により、上連結孔２７と連結凸部３２との嵌合により、着脱可能に簡単に組み立てることができる。さらに、２本の帯状吊下げ部２，２は、同一形状に形成され、同じ射出成形型を使用して同一部品として成形される。したがって、２本の帯状吊下げ部２，２は、同一部品として使用できるため、製造コストは抑制することができる。
【００１９】
また、上記のように、全ての部材がプラスチックにより成形されるが、例えば、表示兼取付部１と帯状吊下げ部３を白色プラスチックにより成形した場合、突出し連結部３と下連結部４はそれとは異なる例えば赤色で成形し、商品吊下げ具をスポット的に目立つ形態に製作することができる。
【００２０】
この商品吊下げ具を組み立てる場合、図３、図４に示すように、表示兼取付部１の下部背面側の連結凸部１８に、突出し連結部３の上部の連結孔３１を嵌合して、表示兼取付部１の下部に突出し連結部３を連結する。そして、突出し連結部３の突出した前部には、その両側に突設された連結凸部３２，３２に、帯状吊下げ部２，２がその上連結孔２７，２７を嵌合させて組みつけられる。
【００２１】
これにより、２枚の帯状吊下げ部２，２は、その背面を合わせた状態で、その前面を両側に向けて（表示兼取付部１の側面に向けて）、且つ前方に突出し垂下した状態で組みつけられる。そして、２枚の帯状吊下げ部２，２の下端には、下連結部４がその連結孔４１，４１を下連結凸部２８，２８に嵌合して組みつけられる。
【００２２】
このような商品吊下げ具は、商品陳列棚に陳列された商品の関連商品をスポット的に陳列してスポット販売するために使用され、図示しない陳列棚の棚レールの前部、或いは図６に示すように陳列棚の側面などに取り付けられた金属網８に、その上部の表示兼取付部１を掛止して使用される。任意の数の商品吊下げ具が商品陳列棚の棚レールや金属網８に装着されるが、その表示兼取付部１は、その背面の掛止片１４と下掛止片１７を金属網８に引っ掛けて、簡単に装着することができる。
【００２３】
そして、スポット販売する小物商品は包装袋に入れられた状態で、表示兼取付部１の下方に連結した２本の帯状吊下げ部２，２の各クリップ部２３に、挟持または掛止されて吊下げられる。
【００２４】
このとき、各帯状吊下げ部２，２の前面つまりクリップ２３は商品吊下げ具の左右側面を向いているため、図６のように、各包装袋入り小物商品９は、正面ではなく右または左の側方を向いて吊下げられ、陳列される。
【００２５】
したがって、包装袋入り小物商品９が左右方向を向いて吊下げられるため、背後に位置する商品陳列棚上の商品が、その前に吊下げられた小物商品９によって隠れる割合が少なくなり、多くの包装袋入り小物商品９を吊下げ陳列するために、商品陳列棚の前面などに複数の商品吊下げ具を掛止して配置した場合でも、背後に位置する商品陳列棚の商品の陳列効果を阻害することが少なく、商品の販売を促進させることができる。
【００２６】
また、背面を合わせて組みつけた２本の帯状吊下げ部２，２に設けたクリップ部２３に小物商品９を吊下げるため、従来の正面を向けて吊下げる商品吊下げ具に比べ、約２倍の商品を吊下げて効率よく陳列することができる。
【００２７】
また、突出し連結部３により２本の帯状吊下げ部２，２は被掛止面から前方に突出して装着され、左右側方を向いて吊下げられるから、少し大型の商品であっても、背後の陳列商品をあまり隠さずに吊下げ陳列することができる。
【００２８】
なお、上記実施形態では、２本の帯状吊下げ部２，２の背面を合わせるように装着したが、１本の帯状吊下げ部２のみを、表示兼取付部の下部に突出し連結部を介して連結し使用することもできる。
【図面の簡単な説明】
【００２９】
【図１】本発明の一実施形態を示す商品吊下げ具の斜視図である。
【図２】商品吊下げ具の正面図である。
【図３】商品吊下げ具の分解正面図である。
【図４】商品吊下げ具の右側面図（ａ）と分解右側面図（ｂ）である。
【図５】表示兼取付部１の組付け斜視図である。
【図６】商品吊下げ具の使用形態を示す斜視図である。
【符号の説明】
【００３０】
１−表示兼取付部
２−帯状吊下げ部
３−突出し連結部
４−下連結部
８−金属網
９−小物商品
１８−連結凸部
２１−帯状本体
２３−クリップ部
２７−上連結孔
３１−連結孔
３２−連結凸部                                                                        
【図１】
2005177159.tif 000003
【図２】
2005177159.tif 000004
【図３】
2005177159.tif 000005
【図４】
2005177159.tif 000006
【図５】
2005177159.tif 000007
【図６】
2005177159.tif 000008